(57)【要約】【課題】防犯性の高い安全な移動式ワゴンをを提供する。【解決手段】人が内部に収容される移動式ワゴンであって、人が業務を行う箱型の店頭部と商品を陳列及び収納する収納部とを有し、店頭部に出入り口及び窓が設けられ、収納部が店頭部の側面側に設置され、何れかの面にキャスターが設けられていることを特徴とする。また、出入り口より最も遠く離れた箇所に荷台が設けられ、金庫収納部が窓から手の届かない箇所に設けられていることを特徴とする。さらに、荷台上にパーソナルコンピュータが設置され、パーソナルコンピュータは電気通信回線を介してインターネットに接続されていることを特徴とする。【選択図】図１
0003126168.tif 000002
【実用新案登録請求の範囲】
【請求項１】
人が内部に収容される移動式ワゴンであって、
前記人が業務を行う箱型の店頭部と
商品を陳列及び収納する収納部と
を有し、前記店頭部に出入り口及び窓が設けられ、前記収納部が前記店頭部の側面側に設置され、何れかの面にキャスターが設けられていることを特徴とする移動式ワゴン。
【請求項２】
前記店頭部と前記収納部は別個体で、組み立てられ一体化されることを特徴とする請求項１に記載の移動式ワゴン。
【請求項３】
前記収納部は異なる向きに二箇所以上設置されることを特徴とする請求項１または２に記載の移動式ワゴン。
【請求項４】
前記出入り口に開閉手段が設けられ、前記開閉手段に錠が設けられていることを特徴とする請求項３に記載の移動式ワゴン。
【請求項５】
前記店頭部の内部に、金庫収納部が備えられている荷台が設置され、前記金庫収納部は開閉機能が設けられ、前記開閉機能は施錠機能が設けられていることを特徴とする請求項１乃至４に記載の移動式ワゴン。
【請求項６】
前記荷台が、前記出入り口より最も遠く離れた箇所に設けられ、前記金庫収納部が前記窓から手の届かない箇所に設けられていることを特徴とする請求項５に記載の移動式ワゴン。
【請求項７】
前記荷台上にパーソナルコンピュータが設置されていることを特徴とする請求項５または６に記載の移動式ワゴン。
【請求項８】
前記パーソナルコンピュータは電気通信線を介してインターネットに接続されており、前記荷台に配線用開口が設けられていることを特徴とする請求項７に記載の移動式ワゴン。
【請求項９】
前記店頭部が木製であることを特徴とする請求項１乃至８に記載の移動式ワゴン。
【請求項１０】
前記店頭部の側面に棚が設けられていること特徴とする請求項１乃至９に記載の移動式ワゴン。
【請求項１１】
前記収納部は箱形で、ガラスで構成される部分を有することを特徴とする請求項１乃至１０に記載の移動式ワゴン。
【請求項１２】
前記収納部に、商品を出し入れするための開閉手段が設けられていることを特徴とする請求項１乃至１１に記載の移動式ワゴン。
【請求項１３】
前記収納部が二段以上で構成されていることを特徴とする請求項１乃至１２に記載の移動式ワゴン。
【考案の詳細な説明】
【技術分野】
【０００１】
本考案は、百貨店やショッピングセンター等の建物内外において、一人で商業的活動を行うことができるワゴン式店舗に関する。
【背景技術】
【０００２】
例えば、商品陳列ワゴンは組立式による箱型ユニット店舗１で店舗部分２と収納部分３とに分かれ、店舗の下部分には収納庫があり、その下部に車輪８を設け、押し引き手用取手９を設けてあることを特徴とした商品陳列ワゴンがあった（特許文献１参照）。商品陳列ワゴンの店舗部には陳列台４があり、陳列台には複数の支柱５、複数の止め具６、店舗天井部及び店舗部のフレーム７，１０を基にして、多様な陳列棚が構成でき、陳列部分の上部には拡声機１１、照明器具１２、保温ランプ１４、ノボリ旗取り付け具１３、店舗全体を透明な素材でのカバー１５を設けることができる、そのカバーには脱着できる素材１６を取り付けてある、また店舗部分の４側面に透明な素材の引き戸１８にすることもできる、収納庫に発電機１７を設ける、支柱、陳列棚、拡声機、照明器具、ノボリ旗取り付け具、カバー、引き戸、保温ランプ、発電機は脱着できることを特徴とした商品陳列ワゴンであった。
【０００３】
また、物品の陳列部と車輪を有する少なくとも２台のワゴンと、各ワゴンを分離自在に接続する連結器と、少なくとも１台のワゴンに設けられてバッテリから給電されて前記車輪を駆動するモータと、を備えることを特徴とするワゴン式店舗があった（特許文献２参照）。
【０００４】
【特許文献１】特開２００５−１２５０３９（請求項１，２、図１）
【特許文献２】実開平６−３６４５５（請求項１、図１、２）
【考案の開示】
【考案が解決しようとする課題】
【０００５】
特許文献１に記載の発明について、従業員の配置について明確な記載は無いが、建物内外で商品陳列ワゴンを移動させながら商品の販売、貸出、宣伝を行うこと及び図１より、商品陳列ワゴンの外側で販売等を行うことは明らかであった。したがって、従業員は一般の人と隔たりのない同じ空間で商品と金銭の交換等を行っていたので、十分な安全性が確保されていないと言う問題点があった。
【０００６】
特許文献２は、従業員はワゴンを介して一般の人と接するが、一般の人と仕切るものはなく、一般の人と同じ空間で商品と金銭の交換等を行っていたため、特許文献１と同様に、十分な安全性が確保されていないと言う問題点があった。
【０００７】
本考案は上記の問題を解決するためになされたものであって、その目的とするところは防犯性の高い安全な移動式ワゴンを提供することである。
【課題を解決するための手段】
【０００８】
請求項１に係る考案は、人が内部に収容される移動式ワゴンであって、前記人が業務を行う箱型の店頭部と商品を陳列及び収納する収納部とを有し、前記店頭部に出入り口及び窓が設けられ、前記収納部が前記店頭部の側面側に設置され、何れかの面にキャスターが設けられていることを特徴とする。
請求項２に係る考案は、請求項１に係る考案において、前記店頭部と前記収納部は別個体で、組み立てられ一体化されることを特徴とする。
請求項３に係る考案は、請求項１または２に係る考案において、前記収納部は異なる向きに二箇所以上設置されることを特徴とする。
請求項４に係る考案は、請求項１乃至３に係る考案において、前記出入り口に開閉手段が設けられ、前記開閉手段に錠が設けられていることを特徴する。
請求項５に係る考案は、請求項１乃至４に係る考案において、前記店頭部の内部に、金庫収納部が備えられている荷台が設置され、前記金庫収納部は開閉機能が設けられ、前記開閉機能は施錠機能が設けられていることを特徴とする。
請求項６に係る考案は、請求項５に係る考案において、前記荷台が、前記出入り口より最も遠く離れた箇所に設けられ、前記金庫収納部が前記窓から手の届かない箇所に設けられていることを特徴とする。
請求項７に係る考案は、請求項５または６に係る考案において、前記荷台上にパーソナルコンピュータが設置されていることを特徴とする。
請求項８に係る考案は、請求項１乃至７に係る考案において、前記パーソナルコンピュータは電気通信回線を介してインターネットに接続されており、前記荷台に配線用開口が設けられていることを特徴とする。
請求項９に係る考案は、請求項１乃至８に係る考案において、前記店頭部が木製であることを特徴とする。
請求項１０に係る考案は、請求項１乃至９に係る考案において、前記店頭部の側面に棚が設けられていることを特徴とする。
請求項１１に係る考案は、請求項１乃至１０に係る考案において、前記収納部は箱形で、ガラスで構成される部分を有することを特徴とする。
請求項１２に係る考案は、請求項１乃至１１に係る考案において、前記収納部に、商品を出し入れするための開閉手段が設けられていることを特徴とする。
請求項１３に係る考案は、請求項１乃至１２に係る考案において、前記収納部が二段以上で構成されていることを特徴とする。
【考案の効果】
【０００９】
本考案は、上記の通り構成されているので、防犯性の高い安全な移動式ワゴン提供することができる。
【考案を実施するための最良の形態】
【００１０】
以下、図面に基づいて本考案の実施の形態を詳細に説明する。
【００１１】
（実施の形態１）
図１は、移動式ワゴンの斜視図を示したものである。移動式ワゴンは従業員が収容され業務を行う店舗部２と、商品が陳列及び収納される２つの収納部３で構成される。ここで、部材等の向きを表記する時、店舗部２内部を内側、店舗部２外部を外側と表す。
【００１２】
店舗部２は木製等の箱形で、上部と下部が開放され、対峙する側板４、５と、対峙する端板６、７で構成されている。店舗部２の上部側の開放されている開口部８には、補強板９が設けられている。
【００１３】
側板４，５は門型であり、収納部３と同じ幅Ｂ１で収納部３の高さＬ１より高い、下向きに収納部嵌合孔１０，１１が水平方向中央部に設けられている。側板４，５の外面両端と収納部嵌合孔１０，１１の両端の間に、宣伝ポスター等を載置させるための、上部にＬ型溝１４が設けられた棒状体１２が、側板４，５の鉛直方向中央辺りにポスター等が載置させれる程度の間隔で縦に並設されている。また、下側に設置されている棒状体１２の下側に、商品等を展示するための棚１３が側板４，５に垂直に設けられている。ここで、棒状体１２と棚１３は木製で、図示しない木目化粧がなされている。
【００１４】
また、側板４，５の外面上端と収納部嵌合孔１０，１１の上端の間に、図示しない会社名や社章等が印刷されたカッティングシートが貼り付けられている。さらに、側板４，５の内面上部に照明器具１５が設けられており、周囲の照度状況によらず店舗部２内で業務を行うことができる。
【００１５】
図３に示すように、片方の端板６に出入り口１６が設けられており、幅が合致するようにスウィング扉１７が設けられている。スウィング扉１７には店舗部２の内外側から施錠できるようにシリンダー錠１８が設けられている。したがって、休業中や急な用事で移動式ワゴンを離れる際に、施錠することで一般の人からの悪事を防止することができる。また、スウィング扉１７の外面や端板６の外面上端と出入り口１６の上端の間にも社名等が印刷されたカッティングシートや宣伝用ポスターを貼り付けることができる。
【００１６】
図６に示すように、店舗部２内部には、店舗部２内部と箱形の木製荷台１９が端板７の内面に設置されている。木製荷台１９の底面と端板７の底面は一致し、端板７の木製荷台１９上部には窓２０が設けられている。従業員は窓２０を通して、お客に金銭と商品の交換を行うことができる。
【００１７】
木製荷台１９上面にはパーソナルコンピュータ２１が載置され、ケーブル２２を介してインターネットに接続されている。したがって、リアルタイムでの在庫管理が可能であるので、業務終了後に改めて在庫調べを行う必要が無く効率的に業務を遂行できる。また、商品入荷と同時に在庫管理が可能であるので、棚卸しによる従業員の不正を防止できる。さらに、店舗部２に防犯カメラや防犯ブザーを設置させ、インターネットを介して警備会社等に常時接続すると、常時通報できるような状態となり防犯機能を向上させることができる。
【００１８】
また、木製荷台１９の天板２３と底板２４の端板７側端部に配線用開口２５が設けられており、パーソナルコンピュータ２１がを載置する際に、ケーブル２２等を木製荷台１９内部に通して床に降ろすことが可能であるので、ケーブル２２等が繁雑にならない。パーソナルコンピュータ２１はケーブル２２を用いず無線でもインターネットに接続することができ、その時は、図示しない配線用開口２５用の蓋で配線用開口２５を塞ぐことができる。
【００１９】
さらに、図５に示すように木製荷台１９には引き出し２６と観音扉２７が設けられた金庫収納部２８が設けられており、それぞれシリンダー錠２９，３０が取り付けられている。ここで、ケーブル２２等を木製荷台１９内部に通させるため、引き出し２６の最奥端は配線用開口２５に届かないようにする。金庫収納部２８には金庫５０が収納されている。したがって、出入り口１６より最も遠く離れた箇所に金庫５０を収納させているので、防犯上効果的である。また、図６に示すように窓２０と金庫収納部２８を、手の届く距離以上離して設置させると、一層防犯上効果的である。
【００２０】
また、図６に示すように、端板７の外面上端と窓２０の上端の間に社名等が印刷されたカッティングシートや宣伝用ポスターを貼り付けることができる。
【００２１】
次に、収納部３について説明する。図１に示すように、収納部３は２つで構成されているが、同じ構造であるので、１つを代表して説明する。
【００２２】
収納部３は、直方体状で、木製枠体３１とガラス製のショーケース３２と木製箱体３３で構成されている。収納部３は、収納部３の底面と側板４の底面、収納部３の内側の面と内側板４の内面が一致するように収納部嵌合孔１０に嵌合され一体化されている。収納部嵌合孔１０の鉛直方向長さは収納部３の鉛直方向長さより大きく形成されており、収納部嵌合孔１０の上端と収納部３の上端の間に孔３４が形成される。この孔３４を介してお客から商品の注文を受ける。したがって、注文を受ける場所と、商品と金銭を交換する場所を分けることにより、商品の注文をしたお客を端板７の窓に誘導している間に、次のお客に商品を選んでもらうことができるので、お客が混雑することを防止し、効率よく商品の販売を行うことができる。
【００２３】
木製枠体３１は、側板３５と連結材３６で構成される。連結材３６が内側に位置し、側板３５は連結材３６の両端を側板３５の端部が垂直に挟み込む形で一体化され、木製枠体２６は上面で水平断面コ字状となり外側に開口部が形成されている。図５に示すように、連結材３６の底面には、引き違い戸３７を設置するための凹溝３８が長手方向に２列平行に成形されている。
【００２４】
木製箱体１９は直方体で、平面形状は長辺が連結材３６の水平方向長さＬ２、短辺が側板３５の幅Ｂ２を有する長方形であり、高さは側板３５の鉛直長さより小さい。木製箱体１９は、木製枠体１７と外側の面、内側の面、底面が一致するように、木製枠体１７内側に嵌合された状態で一体化されている。木製箱体１９の外側の面には、化粧板３９が貼付られており、底面にはストッパー付きキャスター４９が設けられている。また、木製箱体１９の上面には、引き違い戸３７を設置するための２列の凹溝４０が連結材３６の凹溝３８に対向するように成形されている。
【００２５】
連結材３６の底面、側板３５の内側の端部、木製箱体１９の内側の上面で形成される孔は、収納部３に商品を出し入れするための出し入れ口４１となる。図６に示すように、連結材３６の２列の凹溝３８と木製箱体の２列の凹溝４０にはそれぞれ、出し入れ口４１の開閉手段となる引き違い戸３７が設置され、引き違い戸３７には、シリンダー錠４２が取り付けられている。したがって、営業時間外や、移動式ワゴンを離れる際に収納部３に収納されている商品等が盗まれることを防止できる。
【００２６】
ショーケース１８は水平部４３と鉛直部４４で構成され、水平部４３が上側に位置する縦断面Ｌ字体で、図１に示すように、水平部４３の内側の面は連結材３６に接着され、鉛直部４４の底面は木製箱体１９の外側の上面に接着され、水平部４３と鉛直部４４の両側面は側板３５内面に接着されながらショーケース１８は、一体化された木製枠体１７と木製箱体１９に嵌合されている。木製枠体１７とショーケース１８と木製箱体１９で囲まれた空間に商品を収納させる。
【００２７】
図５に示すように、木製枠体１７の側板３５内面には、それぞれ対峙するように、鉛直方向に等間隔で２列穴４５が設けられている。この穴４５には、同じ大きさで、穴４５の深さの２倍程の長さを有する棚受け４６が挿通される。したがって、４つの穴４５からはそれぞれ穴４５の深さと同程度の長さの棚受け４６が突出された状態となるので、突出された棚受け４６の上に板状の棚４７を載置させることができる。これによって、収納部３内の棚４７の数や高さが調整可能であり、商品に応じて収納部３内を効率よく使用できる。  
【００２８】
ショーケース１８の鉛直部内面上端には蛍光灯４８が備えられており、収納部３内の商品が見えやすくなるようになっている。
【００２９】
ここで、上述したとおり、店舗部２の側板５側にも同等の収納部３が設置されている。したがって、収納部３は店舗部２を挟んで２つあるので、同じ商品を販売しても異なる商品を販売しても構わなく、様々な組み合わせで商品を販売できる。
【００３０】
店舗部２の上部と下部が開放されているが、閉じられていても構わない。また、出入り口１６にスウィング扉１７が設けられているが出入り口１６と同じ大きさのシャッターを設けることも可能である。
【００３１】
棚が側板４，５に設けられているが、ヒンジを介して接続させ折畳み式にすることも可能である。
【００３２】
また、収納部３上部に形成される窓をガラス製やアクリル製の板で塞ぎ、安全性を向上させることができる。このままでは、商品の注文を受けることが困難であるため、この板に小さい孔を多数設けると会話が可能となる。端板７側に設けられている窓においては、商品と金銭の交換を行うので、ガラス製やアクリル製の引き違い戸を設けることで業務に支障をきたさず安全性を向上させることができる。
【００３３】
実施の形態１においては、２枚の側板４，５に収納部３が設けられているが、他の実施の形態例として、１枚の側板にのみ収納部３を設けることも、端板を長くして端板に収納部を設けることも可能である。したがって、移動式ワゴンの形態により、建物内外において、壁際や偶角部、または中央部等様々な箇所で移動式ワゴンを設置することが可能である。
【図面の簡単な説明】
【００３４】
【図１】移動式ワゴンの斜視図
【図２】移動式ワゴンの平面図
【図３】移動式ワゴンの端板６側の側面図
【図４】移動式ワゴンの端板７側の側面図
【図５】Ａ断面図
【図６】Ｂ断面図
【符号の説明】
【００３５】
１………移動式ワゴン
２………店舗部
３………収納部
４………側板（店舗部２）
５………側板（店舗部２）
６………端板
７………端板
８………開口部
９………補強板
１０……収納部嵌合孔
１１……収納部嵌合孔
１２……棒状体
１３……棚（側板４，５）
１４……Ｌ型溝
１５……照明器具
１６……出入り口
１７……スウィング扉
１８……シリンダー錠（スウィング扉１７）
１９……木製荷台
２０……窓（端板７）
２１……パーソナルコンピュータ
２２……ケーブル
２３……天板
２４……底板
２５……配線用開口
２６……引き出し
２７……観音扉
２８……金庫収納部
２９……シリンダー錠（引き出し２６）
３０……シリンダー錠（観音扉２７）
３１……木製枠体
３２……ショーケース
３３……木製箱体
３４……孔
３５……側板（木製枠体３１）
３６……連結材
３７……引き違い戸
３８……凹溝（連結材３６）
３９……化粧板
４０……凹溝（木製箱体３３）
４１……出し入れ口
４２……シリンダー錠（引き違い戸３７）
４３……水平部
４４……鉛直部
４５……穴
４６……棚受け
４７……棚（収納部３）
４８……蛍光灯
４９……ストッパー付きキャスタ
５０……金庫
【図１】
0003126168.tif 000003
【図２】
0003126168.tif 000004
【図３】
0003126168.tif 000005
【図４】
0003126168.tif 000006
【図５】
0003126168.tif 000007
【図６】
0003126168.tif 000008
【手続補正書】
【提出日】平成18年8月10日(2006.8.10)
【手続補正１】
【補正対象書類名】実用新案登録請求の範囲
【補正対象項目名】全文
【補正方法】変更
【補正の内容】
【実用新案登録請求の範囲】
【請求項１】
人が内部に収容される移動式ワゴンであって、
前記人が業務を行う箱型の店頭部と
商品を陳列及び収納する収納部と
を有し、前記店頭部に出入り口及び窓が設けられ、前記収納部が前記店頭部の側面側に設置され、何れかの面にキャスターが設けられていることを特徴とする移動式ワゴン。
【請求項２】
前記店頭部と前記収納部は別個体で、組み立てられ一体化されることを特徴とする請求項１に記載の移動式ワゴン。
【請求項３】
前記収納部は異なる向きに二箇所以上設置されることを特徴とする請求項１または２に記載の移動式ワゴン。
【請求項４】
前記出入り口に開閉手段が設けられ、前記開閉手段に錠が設けられていることを特徴とする請求項１乃至３のいずれかに記載の移動式ワゴン。
【請求項５】
前記店頭部の内部に、金庫収納部が備えられている荷台が設置され、前記金庫収納部は開閉機能が設けられ、前記開閉機能は施錠機能が設けられていることを特徴とする請求項１乃至４のいずれかに記載の移動式ワゴン。
【請求項６】
前記荷台が、前記出入り口より最も遠く離れた箇所に設けられ、前記金庫収納部が前記窓から手の届かない箇所に設けられていることを特徴とする請求項５に記載の移動式ワゴン。
【請求項７】
前記荷台上にパーソナルコンピュータが設置されていることを特徴とする請求項５または６に記載の移動式ワゴン。
【請求項８】
前記パーソナルコンピュータは電気通信線を介してインターネットに接続されており、前記荷台に配線用開口が設けられていることを特徴とする請求項７に記載の移動式ワゴン。
【請求項９】
前記店頭部が木製であることを特徴とする請求項１乃至８のいずれかに記載の移動式ワゴン。
【請求項１０】
前記店頭部の側面に棚が設けられていること特徴とする請求項１乃至９のいずれかに記載の移動式ワゴン。
【請求項１１】
前記収納部は箱形で、ガラスで構成される部分を有することを特徴とする請求項１乃至１０のいずれかに記載の移動式ワゴン。
【請求項１２】
前記収納部に、商品を出し入れするための開閉手段が設けられていることを特徴とする請求項１乃至１１のいずれかに記載の移動式ワゴン。
【請求項１３】
前記収納部が二段以上で構成されていることを特徴とする請求項１乃至１２のいずれかに記載の移動式ワゴン。
【手続補正２】
【補正対象書類名】明細書
【補正対象項目名】０００８
【補正方法】変更
【補正の内容】
【０００８】
請求項１に係る考案は、人が内部に収容される移動式ワゴンであって、前記人が業務を行う箱型の店頭部と商品を陳列及び収納する収納部とを有し、前記店頭部に出入り口及び窓が設けられ、前記収納部が前記店頭部の側面側に設置され、何れかの面にキャスターが設けられていることを特徴とする。
請求項２に係る考案は、請求項１に係る考案において、前記店頭部と前記収納部は別個体で、組み立てられ一体化されることを特徴とする。
請求項３に係る考案は、請求項１または２に係る考案において、前記収納部は異なる向きに二箇所以上設置されることを特徴とする。
請求項４に係る考案は、請求項１乃至３のいずれかに係る考案において、前記出入り口に開閉手段が設けられ、前記開閉手段に錠が設けられていることを特徴する。
請求項５に係る考案は、請求項１乃至４のいずれかに係る考案において、前記店頭部の内部に、金庫収納部が備えられている荷台が設置され、前記金庫収納部は開閉機能が設けられ、前記開閉機能は施錠機能が設けられていることを特徴とする。
請求項６に係る考案は、請求項５に係る考案において、前記荷台が、前記出入り口より最も遠く離れた箇所に設けられ、前記金庫収納部が前記窓から手の届かない箇所に設けられていることを特徴とする。
請求項７に係る考案は、請求項５または６に係る考案において、前記荷台上にパーソナルコンピュータが設置されていることを特徴とする。
請求項８に係る考案は、請求項７に係る考案において、前記パーソナルコンピュータは電気通信線を介してインターネットに接続されており、前記荷台に配線用開口が設けられていることを特徴とする。
請求項９に係る考案は、請求項１乃至８のいずれかに係る考案において、前記店頭部が木製であることを特徴とする。
請求項１０に係る考案は、請求項１乃至９のいずれかに係る考案において、前記店頭部の側面に棚が設けられていることを特徴とする。
請求項１１に係る考案は、請求項１乃至１０のいずれかに係る考案において、前記収納部は箱形で、ガラスで構成される部分を有することを特徴とする。
請求項１２に係る考案は、請求項１乃至１１のいずれかに係る考案において、前記収納部に、商品を出し入れするための開閉手段が設けられていることを特徴とする。
請求項１３に係る考案は、請求項１乃至１２のいずれかに係る考案において、前記収納部が二段以上で構成されていることを特徴とする。